(57)【要約】【課題】胴回りにおいては従来同様の帯の硬さにて着用感を維持し、両端側部分においては容易に結びを形成することができる袋帯を提供する。【解決手段】からみ経糸と地経糸とに絵緯糸と地緯糸とを織り込んで胴に巻き付ける中間部分と結びを形成する両端側部分との少なくとも三つの部位から構成して前記両端側部分における前記からみ経糸によって裏綴じされる地緯糸の本数を前記中間部分における前記からみ経糸によって裏綴じされる地緯糸の本数より少なくして前記中間部分の硬さに比べ前記両端側部分を柔らかく織成した袋帯。【選択図】  図１
2004285506.tif 000002
【特許請求の範囲】
【請求項１】
からみ経糸と地経糸とに絵緯糸と地緯糸とを織り込んで胴に巻き付ける中間部分と結びを形成する両端側部分との少なくとも三つの部位を織成してなる袋帯であって、前記両端側部分における前記からみ経糸によって裏綴じされる地緯糸の本数を前記中間部分における前記からみ経糸によって裏綴じされる地緯糸の本数より少なくして前記中間部分の硬さに比べ前記両端側部分が柔らかく織成されていることを特徴とする袋帯。
【請求項２】
からみ経糸と地経糸とに絵緯糸と地緯糸とを織り込んで胴に巻き付ける中間部分と結びを形成する両端側部分との少なくとも三つの部位を織成してなる袋帯であって、前記両端側部分における前記からみ経糸によって裏綴じされてなる前記絵緯糸と該からみ経糸との交錯点の数を前記中間部分における前記からみ経糸によって裏綴じされてなる前記絵緯糸と該からみ経糸との交錯点の数より少なくして前記中間部分の硬さに比べ前記両端側部分が柔らかく織成されていることを特徴とする袋帯。
【請求項３】
絵緯糸が箔糸である請求項１又は２記載の袋帯。
【請求項４】
袋帯が全長約３７１．２ｃｍ  （九尺八寸：鯨寸）の縫い袋帯である請求項１乃至３のいずれかに記載の袋帯。
【請求項５】
袋帯が全長約３７８．８ｃｍ  （一丈：鯨寸）の本袋帯である請求項１乃至３のいずれかに記載の袋帯。
【請求項６】
袋帯の帯幅が約１８．９〜２２．７ｃｍ（五寸〜六寸：鯨寸）である請求項１乃至５のいずれかに記載の袋帯。
【発明の詳細な説明】
【０００１】
【発明の属する技術分野】
本発明は、中間部分の硬さに比べて結びを形成する両端側部分が柔らかく織成されている袋帯に関するものである。
【０００２】
【従来の技術】
周知の通り、袋帯には、図１２に示すように、全長約４３５．６  〜４４３．２ｃｍ  （一丈一尺五寸〜一丈一尺七寸：鯨寸）、たれ先２１から太鼓紋２２までが約１２５  〜１３２．６ｃｍ  （三尺三寸〜三尺五寸：鯨寸）、太鼓紋２２から腹紋２３までが約９８．５〜１０６．１ｃｍ  （二尺六寸〜二尺八寸：鯨寸）で約１０６．１ｃｍ  （二尺八寸：鯨寸）の中無地２４と約４９．２〜５６．８ｃｍ（一尺三寸〜一尺五寸：鯨寸）の手先２５とを有する本袋帯２６、この外、二枚に織って縫い合わせた縫い袋帯、帯幅約１５ｃｍの小袋帯、袋帯の形をしていて名古屋帯の長さ程の京袋帯等が汎用されている。
【０００３】
また、特許文献１には、垂れ先から腹紋部まで絵緯糸を粗綴じして連続模様を現して模様の連続性を保ちながら結び目における絵緯にズレや伸びが発生しないようにした袋帯が開示されている。
【０００４】
【特許文献１】
特開平１１−１２８３６号公報
【０００５】
【発明が解決しようとする課題】
前記従来の袋帯は、いずれも帯の全長に渡って同じ硬さに織成されているので、この帯の硬さが帯結びの難しさの要因の一つとなって、若者には敬遠されて着物着用者が若年層に浸透しないという問題点があった。
【０００６】
そこで、本発明は、袋帯を胴に巻き付ける中間部分と結びを形成する両端側部分との少なくとも三つの部位を織成して中間部分の硬さに比べて両端側部分を柔らかく織成することにより、胴回りにおいては従来同様の帯の硬さにて着用感を維持し、両端側部分においては容易に結びを形成することができるようにしたものである。
【０００７】
【課題を解決するための手段】
前記技術的課題は、次の通りの本発明によって解決できる。
【０００８】
即ち、本発明に係る袋帯は、からみ経糸と地経糸とに絵緯糸と地緯糸とを織り込んで胴に巻き付ける中間部分と結びを形成する両端側部分との少なくとも三つの部位を織成してなる袋帯であって、前記両端側部分における前記からみ経糸によって裏綴じされる地緯糸の本数を前記中間部分における前記からみ経糸によって裏綴じされる地緯糸の本数より少なくして前記中間部分の硬さに比べ前記両端側部分が柔らかく織成されているものである。
【０００９】
また、本発明に係る袋帯は、からみ経糸と地経糸とに絵緯糸と地緯糸とを織り込んで胴に巻き付ける中間部分と結びを形成する両端側部分との少なくとも三つの部位を織成してなる袋帯であって、前記両端側部分における前記からみ経糸によって裏綴じされてなる前記絵緯糸と該からみ経糸との交錯点の数を前記中間部分における前記からみ経糸によって裏綴じされてなる前記絵緯糸と該からみ経糸との交錯点の数より少なくして前記中間部分の硬さに比べ前記両端側部分が柔らかく織成されているものである。
【００１０】
また、本発明は、前記いずれかの袋帯において、絵緯糸に箔糸を使用したものである。
【００１１】
また、本発明は、前記いずれかの袋帯を全長約３７１．２ｃｍ  （九尺八寸：鯨寸）の縫い袋帯又は全長約３７８．８ｃｍ  （一丈：鯨寸）の本袋帯としたものである。
【００１２】
さらに、本発明は、前記いずれかの袋帯において、帯幅を約１８．９〜２２．７ｃｍ（五寸〜六寸：鯨寸）としたものである。
【００１３】
【発明の実施の形態】
以下、本発明の実施の形態を図面に基づき説明する。
【００１４】
実施の形態１．
【００１５】
図１は本発明の実施の形態に係る袋帯を示す平面図、図２は図１に図示する袋帯の中間部分における織組織を拡大して模型的に示す裏面組織の平面図、図３は図２に図示する中間部分における織組織の縦断面図であり、同図において上側が裏面となる。また、図４は図１に図示する袋帯の両端側部分における織組織を拡大して模型的に示す裏面組織の平面図、図５は図４に図示する両端側部分における織組織の縦断面図であり、同図において上側が裏面となる。また、図６及び図７は袋帯の着用時における外観を示す一部省略斜視図である。これらの図において、１は、例えば、帯幅約１８．９〜２２．７ｃｍ（五寸〜六寸：鯨寸），長さ約３７１．２ｃｍ  （九尺八寸：鯨寸）の縫い袋帯であり、図２及び図４に示すように、からみ経糸２と地経糸３とに絵緯糸４と地緯糸５とを織り込んで結びを形成する両端側部分（例えば、帯の端から約１０９．８５ｃｍ（二尺九寸：鯨寸）迄の部分）６（一方端側部分），７（他方端側部分）と胴に巻き付ける中間部分（例えば、帯の両端から１０９．８５ｃｍを除いた約１５１．５ｃｍ  （四尺：鯨寸））８との三つの部位から構成されている。なお、９は袋帯の中間部分８に形成されている模様、１０は社名やブランド名が織成されている界切である。
【００１６】
前記袋帯１は、例えば、筬（図示せず。）の一羽に二本の地経糸３と一本のからみ経糸２を通し、二羽に三本の地経糸３を通し、三羽に一羽と同様に二本の地経糸３と一本のからみ経糸２を通し、以後、同様のパターンにて筬にからみ経糸２と地経糸３とを通して織成する。
【００１７】
そして、前記中間部分８においては、例えば、図２及び図３に示すように、綜絖（図示せず。）を上下動させて地緯糸５を三本通して偶数番目のからみ経糸２によって当該三本の地緯糸５を裏綴じし、続いて、絵緯糸４を一本通して織りなす。次いで、綜絖を上下動させて地緯糸５を三本通して奇数番目のからみ経糸２によって当該三本の地緯糸５を裏綴じし、続いて、絵緯糸４を一本通して織りなす。以後、同様の操作により織れば、からみ経糸２により三本単位で地緯糸５が裏綴じされてなる平織組織に織成された中間部分８が得られる。
【００１８】
前記両端側部分である一方端側部分６と他方端側部分７とにおいては、図４及び図５に示すように、綜絖を上下動させて地緯糸５を二本通して偶数番目のからみ経糸２によって当該二本の地緯糸５を裏綴じし、続いて、絵緯糸４を一本通して織りなす。次いで、綜絖を上下動させて地緯糸５を二本通して奇数番目のからみ経糸２によって当該二本の地緯糸５を裏綴じし、続いて、絵緯糸４を一本通して織りなす。以後、同様の操作により織れば、からみ経糸２によって二本単位で地緯糸５が裏綴じされてなる平織組織に織成された両端側部分６，７が得られる。
【００１９】
本実施の形態では、両端側部分（一方端側部分と他方端側部分）６，７におけるからみ経糸２によって裏綴じされる地緯糸５の本数を中間部分８におけるからみ経糸２によって裏綴じされる地緯糸５の本数より少なくしたので、中間部分８の硬さに比べ両端側部分６，７を柔らかく織成することができる。
【００２０】
また、本実施の形態においては、図６及び図７に示すように、胴回りにおいては従来同様の帯の硬さにてしっかりとした風合いで着用感を維持することができ、両端側部分においては柔らかく容易に結びを形成することができるから、裏側全面に平織組織に織成された絹製裏布を縫着して帯幅約１８．９〜２２．７ｃｍ（五寸〜六寸：鯨寸），長さ約３７１．２ｃｍ  （九尺八寸：鯨寸）の縫い袋帯１とすれば、扱いやすく滑りにくい軽くしなやかな風合いの六寸帯を提供でき、当該帯を浴衣気感覚で着れるファッション性を備えた新感覚の着物の帯として提供することができる。
【００２１】
実施の形態２．
【００２２】
図８は本発明の実施の形態に係る袋帯の中間部分における織組織を拡大して模型的に示す平面図、図９は図８に図示する織組織の縦断面図、図１０は本発明の実施の形態に係る袋帯の両端側部分における織組織を拡大して模型的に示す平面図、図１１は図１０に図示する織組織の縦断面図である。これらの図において、図１〜図７と同一符号は同一又は相当部分を示し、本実施の形態に係る袋帯は、図１に示すように、中間部分（例えば、約１５１．５ｃｍ  （四尺：鯨寸））８と両端側部分（例えば、各約１１３．６ｃｍ  （三尺：鯨寸））６，７とか構成されて図１２に示す本袋帯様に織成した、例えば、全長約３７８．７ｃｍ  （一丈：鯨寸）、帯幅約２２．７ｃｍ（六寸：鯨寸）の本袋帯であり、該本袋帯は、例えば、筬の羽に一本のからみ経糸２と二本の表地経糸１１と二本の裏地経糸１２とを通して織成する。なお、１３は裏地緯糸である。
【００２３】
そして、前記中間部分８においては、例えば、図８及び図９に示すように、綜絖（図示せず。）を上下動させ、表地経糸１１と表地緯糸１４とを使用して三枚斜文織組織となるように、また、からみ経糸２と絵緯糸４及び金箔絵緯糸１５とを使用してそれぞれ平織組織となるように織成する。
【００２４】
また、一方端側部分６と他方端側部分７とにおいては、図１０及び図１１に示すように、綜絖を上下動させ、表地経糸１１と表地緯糸１４とを使用して三枚斜文織組織となるように、また、からみ経糸２と絵緯糸４とを使用して平織組織となるように織成し、金箔絵緯糸１５については、からみ経糸２による裏綴じを形成しないで浮かした状態となるように織成する。
【００２５】
これにより、両端側部分６，７におけるからみ経糸２によって裏綴じされてなる金箔絵緯糸１５と該からみ経糸２との交錯点の数を中間部分８におけるからみ経糸２によって裏綴じされてなる金箔絵緯糸１５と該からみ経糸２との交錯点の数より少なくすることができる。
【００２６】
本実施の形態では、両端側部分６，７におけるからみ経糸２によって裏綴じされてなる金箔絵緯糸１５と該からみ経糸２との交錯点の数が中間部分８におけるからみ経糸２によって裏綴じされてなる金箔絵緯糸１５と該からみ経糸２との交錯点の数より少ないので、中間部分８の硬さに比べ両端側部分６，７を柔らかく織成することができる。
【００２７】
従って、本実施の形態においても、図６に示すように、胴回りにおいては従来同様の帯の硬さにて着用感を維持し、図７に示すように、両端側部分においては容易に結びを形成することができ、実施の形態１と同様の効果を奏することができる。
【００２８】
なお、本実施の形態において、中間部分８では、からみ経糸２と金箔絵緯糸１５とにより平織組織に織り上げ、両端側部分６，７では、柄によってからみ経糸２と金箔絵緯糸１５とを朱子綴じに織り上げれば、両端側部分６，７における金箔絵緯糸１５とからみ経糸２との交錯点の数が中間部分８における金箔絵緯糸１５とからみ経糸２との交錯点の数より少なくなるので、中間部分８の硬さに比べ両端側部分６，７を柔らかく織成することができる。
【００２９】
【実施例】
実施例１．
【００３０】
経糸として絹糸（３分練）２１中４本合わせの諸撚糸を１，８２４  本用い、地経糸３に１，５００  本、からみ経糸２に３００  本、耳経糸に２４本使用した。また、絹糸（練糸）２１中６本合わせの甘撚糸を地緯糸５と絵緯糸４に使用した。
【００３１】
筬通し幅を２２．７ｃｍ（六寸：鯨寸）、経糸密度を８０本／ｃｍ（筬８０枚／寸：曲寸）とし、両側二羽にそれぞれ耳経糸を６本づつ通し、この外の筬羽には最初の羽に２本の地経糸３と１本のからみ経糸２を通し、次の羽に３本の地経糸３を通し、以後、同様のパターンにて筬にからみ経糸２と地経糸３とを通して地経糸１，５００  本／６００  羽、からみ経糸３００  本／６００  羽、耳経糸２４本／４羽とした。また、１，８００  本、３本把吊の耳２４本とした。
【００３２】
そして、棒刀２４枚（１枚で７５本，２４×７５＝１，８００  本：地１，５００  本，からみ３００  本）、伏せ８枚（１枚で３７．５本，８×３７．５＝３００  本（からみ）：８枚の内４枚が３７本、他の４枚が３８本の交互にいれる。）、９００  口のジャガードで６００  本の針を使用して緯糸密度を２２．６越／ｃｍ（６０越／寸：曲寸）とし、裏綴３丁  １３５．６  （３丁×２本合×２２．６）本／ｃｍにて約１５１．５ｃｍ  （四尺：鯨寸）の中間部分８と、裏綴２丁  ９０．４（２丁×２本合×２２．６）本／ｃｍにて約１０９．８５ｃｍ（二尺九寸：鯨寸）の一方端側部分６及び約１０９．８５ｃｍ（二尺九寸：鯨寸）の他方端側部分７とを平織（四綾紹巴織）組織に織成した帯幅２２．７ｃｍ（六寸：鯨寸）の図１〜図６に示す実施の形態１における縫い袋帯１を得た。なお、裏側全面には平織組織に織成された絹製裏布を縫着した。
【００３３】
当該縫い袋帯１の中間部分８と両端側部分６，７とにおける帯地剛軟性をＪＩＳ  Ｌ  １０９６  ６．１９．５  Ｅ法（ハンドルオメータ法）に準拠して測定した。この結果、中間部分８の測定値は２３５．９ｇ、一方端側部分６の測定値は１０３．２０ｇ  であり、中間部分８の硬さに比べ両端側部分６，７が柔らかく織成されていることを確認した。なお、生地が跳ね返るためにスリット幅は３０ｍｍとした。
【００３４】
実施例２．
【００３５】
経糸として表地経糸１１と裏地経糸１２用に絹糸２１中３双２本合わせの撚糸を用い、からみ経糸２に絹糸２８中２双１本撚糸を用い、緯糸として両端側部分６，７（図１参照）には表地緯糸１４用に絹糸２１中４片３本合わせの撚糸を用い、裏地緯糸１３用に絹糸２１中４片３本合わせの撚糸を用い、中間部分８（図１参照）には表地緯糸１４用に絹糸２１中４片５本合わせの撚糸を用い、裏地緯糸１３用に絹糸２１中４片５本合わせの撚糸を用い、絵緯糸４用に絹糸２１中６双３本合わせの撚糸を用い、金箔絵緯糸１５として銀ベースフィルムを金色に着色した金箔糸を使用した。また、柄の形成に金糸、銀糸を使用した。
【００３６】
筬通し幅を２３．５ｃｍ（六寸二分：鯨寸）、経糸密度を６２本／ｃｍ（筬６２枚／寸：曲寸）とし、表地経糸：２羽で２本入り  ９６０  本／４８０  羽，裏地経糸：２羽で２本入り  ９６０  本／４８０  羽，からみ経糸：スイリで１本入り  ４８０  本／４８０  羽とした。
【００３７】
そして、棒刀：表地２０枚（地１２枚：棒刀１枚で８０本、からみ８枚：棒刀１枚で６０本）、裏無地用６枚、伏せ８枚（１枚で６０本）、６００  口ジャガード織機を使用して緯糸密度を２３．５越／ｃｍ（６０越／寸：曲寸）とし、表地経糸１１と表地緯糸１４とによる三枚斜文織組織、からみ経糸２と絵緯糸４及び金箔絵緯糸１５とによる平織組織となっている約１５１．５ｃｍ  （四尺：鯨寸）の中間部分８と、表地経糸１１と表地緯糸１４とによる三枚斜文織組織、からみ経糸２と絵緯糸４及び金箔絵緯糸１５とによる朱子綴組織となっている約１１３．６ｃｍ  （三尺：鯨寸）の一方端側部分６及び約１１３．６ｃｍ  （三尺：鯨寸）の他方端側部分７とからなる帯幅約２２．７ｃｍ（六寸：鯨寸）の図１，図８〜図１１に示す実施の形態２における本袋帯１を得た。
【００３８】
当該本袋帯１においても、実施例１と同様に、中間部分８の硬さに比べ両端側部分６，７が柔らかく織成されている効果が得られていることを確認した。なお、当該効果には、中間部分８の緯糸に５本合わせの撚糸を用いると共に両端側部分６，７の緯糸に３本合わせの撚糸を用いたことも寄与している。
【００３９】
【発明の効果】
本発明によれば、袋帯を胴に巻き付ける中間部分と結びを形成する両端側部分との少なくとも三つの部位に分けて中間部分の硬さに比べて両端側部分を柔らかく織成したから、袋帯の着用に慣れない若者においても容易に帯を結ぶことができる袋帯を提供することができる。
【００４０】
従って、本発明の産業上利用性は非常に高いといえる。
【図面の簡単な説明】
【図１】本発明の実施の形態に係る袋帯を示す平面図である。
【図２】図１に図示する袋帯の中間部分における織組織を拡大して模型的に示す裏面組織の平面図である。
【図３】
図２に図示する中間部分における織組織の縦断面図である。
【図４】
図１に図示する袋帯の両端側部分における織組織を拡大して模型的に示す裏面組織の平面図である。
【図５】
図４に図示する両端側部分における織組織の縦断面図である。
【図６】
本発明に係る袋帯の着用時における外観を示す一部省略斜視図である。
【図７】
本発明に係る袋帯の着用時における外観を示す一部省略斜視図である。
【図８】
本発明の実施の形態に係る袋帯の中間部分における織組織を拡大して模型的に示す平面図である。
【図９】
図８に図示する織組織の縦断面図である。
【図１０】
本発明の実施の形態に係る袋帯の両端側部分における織組織を拡大して模型的に示す平面図である。
【図１１】
図１０に図示する織組織の縦断面図である。
【図１２】
従来の本袋帯を示す平面図である。
【符号の説明】
１  縫い袋帯
２  からみ経糸
３  地経糸
４  絵緯糸
５  地緯糸
６  一方端側部分
７  他方端側部分
８  中間部分
１１  表地経糸
１４  表地緯糸
１５  金箔絵緯糸
【図１】
2004285506.tif 000003
【図２】
2004285506.tif 000004
【図３】
2004285506.tif 000005
【図４】
2004285506.tif 000006
【図５】
2004285506.tif 000007
【図６】
2004285506.tif 000008
【図７】
2004285506.tif 000009
【図８】
2004285506.tif 000010
【図９】
2004285506.tif 000011
【図１０】
2004285506.tif 000012
【図１１】
2004285506.tif 000013
【図１２】
2004285506.tif 000014